(57)【要約】【課題】  複数のユーザ間または複数の端末間で同一機能を使用する場合に、各ユーザまたは各端末に対する機能設定を人手を要することなく迅速かつ適切に行えるようにし、これによりユーザの利便性を高めたサーバ装置を提供する。【解決手段】  交換サーバＳ１において、各種機能情報の少なくとも一部を複数のＩＰ内線端末ＩＰＴ１，ＩＰＴ２，ＩＰＴ３及び内線端末Ｔ１で共有して使用可能な共有アカウントＣ１，Ｃ２とし、この共有アカウントＣ１、Ｃ２と共有アカウントに属する設定機能情報とを対応付けた共有アカウントテーブルを記憶した共有アカウントデータベース１３を設け、例えばＩＰ内線端末ＩＰＴ１にて共有アカウントＣ１を使用するログイン操作がなされた場合に、制御部１５にて共有アカウントデータベース１３中の共有アカウントテーブルを参照して、ＩＰ内線端末ＩＰＴ１に対し共有アカウントＣ１に属する各種機能情報をダウンロードするようにしている。【選択図】      図１
2009239869.tif 000002
【特許請求の範囲】
【請求項１】
ログイン操作がなされた複数の端末を接続可能で、ログインされた端末にて端末間または端末と通信回線との間の通信に係わる機能を実行するための複数の機能情報の中から任意の機能の機能情報が処理部に選択的にセットされた場合に、当該端末に対しログイン期間で前記処理部にセットされた機能情報に基づいて選択した機能を実行するサーバ装置において、
前記複数の機能情報の少なくとも一部を前記複数の端末で共有して使用可能な共有アカウントとし、この共有アカウントと当該共有アカウントに属する機能情報とを対応付けた共有アカウントテーブルを記憶する記憶手段と、
前記端末にて前記共有アカウントを使用するログイン操作がなされた場合に、前記共有アカウントテーブルを参照し、この参照結果に基づいて前記端末の処理部にセットすべく前記共有アカウントに属する機能情報を前記端末に送信する送信制御手段とを具備したことを特徴とするサーバ装置。
【請求項２】
前記共有アカウントでログイン中の端末にてログインを解除するログアウト操作がなされた場合に、前記処理部にセットされた機能情報の中で更新された情報を前記端末から受信し、前記共有アカウントテーブルの登録内容を前記更新された情報に更新する更新手段をさらに備えたことを特徴とする請求項１記載のサーバ装置。
【請求項３】
前記記憶手段は、前記共有アカウントでログイン中の端末に対し発信を許可するための発側識別子を記憶し、
前記送信制御手段は、前記端末にて前記共有アカウントを使用するログイン操作がなされた場合に、前記端末に対し共有アカウントに属する機能情報と共に、前記発側識別子を示す情報を送信することを特徴とする請求項１記載のサーバ装置。
【請求項４】
前記記憶手段は、前記共有アカウントへのログインを許容し前記端末を特定するための端末識別情報を記憶し、
前記送信制御手段は、前記端末にて前記共有アカウントを使用するログイン操作がなされた場合に、前記端末から通知される端末識別情報と前記記憶手段に記憶される端末識別情報とを比較して前記共有アカウントの使用の可否を判定し、前記共有アカウントの使用が可能と判定された場合に、前記共有アカウントに属する機能情報を前記端末に送信することを特徴とする請求項１記載のサーバ装置。
【請求項５】
前記記憶手段は、前記端末毎または前記共有アカウント毎に、前記共有アカウントを使用するログイン操作がなされた端末に対し、ログイン後の使用を制限するための使用制限情報を記憶し、
前記共有アカウントへのログイン後の端末に対し、前記記憶手段に記憶された使用制限情報に基づいて前記共有アカウントに属する機能を実行させる機能実行制御手段をさらに備えたことを特徴とする請求項４記載のサーバ装置。
【請求項６】
前記記憶手段は、前記端末が有する表示器に表示しかつ前記共有アカウントと当該共有アカウントとは異なるアカウントとを含む複数のログイン画面情報を優先順位に対応付けて記憶し、
前記共有アカウントでログイン中の端末にて当該共有アカウントとは別のアカウントに対しログイン操作がなされた場合に、前記記憶手段の中から該当する複数のログイン画面情報を前記優先順位に従って前記端末の表示器に表示させる表示制御手段と、
前記複数のログインの実行中に、前記端末の表示器に表示されていないアカウントへの着信をユーザに通知する通知手段とをさらに備えたことを特徴とする請求項１記載のサーバ装置。
【請求項７】
複数の端末と、
これら複数の端末のうちログイン操作がなされた端末を接続可能で、ログインされた端末にて端末間または端末と通信回線との間の通信に係わる機能を実行するための複数の機能情報の中から任意の機能の機能情報が処理部に選択的にセットされた場合に、当該端末に対しログイン期間で前記処理部にセットされた機能情報に基づいて選択した機能を実行するサーバ装置とを具備し、
前記サーバ装置は、
前記複数の機能情報の少なくとも一部を前記複数の端末で共有して使用可能な共有アカウントとし、この共有アカウントと当該共有アカウントに属する機能情報とを対応付けた共有アカウントテーブルを記憶する記憶手段と、
前記端末にて前記共有アカウントを使用するログイン操作がなされた場合に、前記共有アカウントテーブルを参照し、この参照結果に基づいて前記端末の処理部にセットすべく前記共有アカウントに属する機能情報を前記端末に送信する送信制御手段とを備え、
前記端末は、
前記サーバ装置から送られた前記共有アカウントに属する機能情報を前記処理部にセットする機能設定手段を備えたことを特徴とする通信システム。
【請求項８】
前記サーバ装置は、前記共有アカウントでログイン中の端末にてログインを解除するログアウト操作がなされた場合に、前記処理部にセットされた機能情報の中で更新された情報を前記端末から受信し、前記共有アカウントテーブルの登録内容を前記更新された情報に更新する更新手段をさらに備え、
前記端末は、
ログアウト時に、前記処理部にセットされた機能情報の中で更新された情報を前記サーバ装置に送信する送信手段と、
前記処理部から使用した機能情報を削除する機能削除手段とをさらに備えたことを特徴とする請求項７記載の通信システム。
【請求項９】
複数の端末と、これら複数の端末のうちログイン操作がなされた端末を接続可能で、ログインされた端末にて端末間または端末と通信回線との間の通信に係わる機能を実行するための複数の機能情報の中から任意の機能の機能情報が処理部に選択的にセットされた場合に、当該端末に対しログイン期間で前記処理部にセットされた機能情報に基づいて選択した機能を実行するサーバ装置とを備えた通信システムで使用される機能設定方法において、
前記サーバ装置において、前記複数の機能情報の少なくとも一部を前記複数の端末で共有して使用可能な共有アカウントとし、この共有アカウントと当該共有アカウントに属する機能情報とを対応付けた共有アカウントテーブルを記録媒体に記憶し、
前記端末にて前記共有アカウントを使用するログイン操作がなされた場合に、前記サーバ装置にて前記共有アカウントテーブルを参照し、この参照結果に基づいて前記共有アカウントに属する機能情報を前記端末に送信し、
前記端末にて、前記サーバ装置から送られた前記共有アカウントに属する機能情報を前記処理部にセットするようにしたことを特徴とする機能設定方法。
【発明の詳細な説明】
【技術分野】
【０００１】
この発明は、例えばＩＰ(Internet Protocol)電話システムに用いられるサーバ装置、このサーバ装置に対しログインされる端末を備えた通信システム及びこの通信システムで使用される機能設定方法に関する。
【背景技術】
【０００２】
近年、ＩＰ網を介して、双方向に画像や音声をパケットデータとして、リアルタイムに送受信するＩＰ電話システムが普及し始めている。このＩＰ電話システムでは、ＩＰ網に接続される各電話交換機または各サーバごとに内線間通信や外線発着信を行えることは勿論のこと、ＩＰ網を経由した電話交換機間またはサーバ間での内線通信や外線発着信を行うことができる。
【０００３】
ところで、上記ＩＰ電話システムでは、ユーザ毎（ユーザ毎のアカウントを使用してあらゆる端末にログインする場合を想定）や端末毎に固有の機能設定を行い、設定通りに機能を使用できるようになっている。プライベート的な使用に関しては、上記設定はユーザまたは端末毎に独立しているため便利である。
【０００４】
なお、従来でも、使用者がコンピュータにログインする際に、携帯端末中のＩＤを元に管理サーバへアクセスし、使用環境の設定情報をダウンロードして使用環境を変更し、コンピュータ使用後は最新の設定情報を管理サーバへ送信し、使用環境を元の状態に戻す手法が提案されている（例えば、特許文献１）。
【特許文献１】特開２００３−７６６２４公報。
【発明の開示】
【発明が解決しようとする課題】
【０００５】
ところで、各ユーザや各端末に設定する機能の中には、複数ユーザが同じ機能を使用する場合もある。この場合であっても、同じ機能設定を複数ユーザまたは複数の端末に対し設定する必要がある。この機能設定は、大半が人手により繰り返し行われるため、機能設定に多くの時間と労力を必要とする。特に、端末の追加、変更、削除があったり、システムの規模が増大すると、各サーバ装置において機能設定の回数が増大してしまうことになり、非常に好ましくない。
【０００６】
そこで、この発明の目的は、複数のユーザ間または複数の端末間で同一機能を使用する場合に、各ユーザまたは各端末に対する機能設定を人手を要することなく迅速かつ適切に行えるようにし、これによりユーザの利便性を高めたサーバ装置、通信システム及び機能設定方法を提供することにある。
【課題を解決するための手段】
【０００７】
この発明に係るサーバ装置は、ログイン操作がなされた複数の端末を接続可能で、ログインされた端末にて端末間または端末と通信回線との間の通信に係わる機能を実行するための複数の機能情報の中から任意の機能の機能情報が処理部に選択的にセットされた場合に、当該端末に対しログイン期間で処理部にセットされた機能情報に基づいて選択した機能を実行するサーバ装置において、複数の機能情報の少なくとも一部を複数の端末で共有して使用可能な共有アカウントとし、この共有アカウントと当該共有アカウントに属する機能情報とを対応付けた共有アカウントテーブルを記憶する記憶手段と、端末にて共有アカウントを使用するログイン操作がなされた場合に、共有アカウントテーブルを参照し、この参照結果に基づいて端末の処理部にセットすべく共有アカウントに属する機能情報を端末に送信する送信制御手段とを備えるようにしたものである。
【０００８】
この構成によれば、複数の機能情報の少なくとも一部を複数の端末で共有して使用可能な共有アカウントとし、この共有アカウントと当該共有アカウントに属する機能情報とを対応付けた共有アカウントテーブルを設けたことにより、端末にて共有アカウントを使用するログイン操作がなされた場合に、共有アカウントテーブルを参照して、端末に対し共有アカウントに属する各種機能情報がダウンロードされることになる。
【０００９】
従って、共有アカウントへログインするだけで、複数ユーザが共有アカウントに属する同一機能を容易に使用できるようになる。また、当該機能は複数ユーザによって使用されるため１アカウントに対しての負荷が高まるが、当該アカウントの各種機能情報を端末側にダウンロードすることによって、負荷を軽減できる。
【００１０】
共有アカウントでログイン中の端末にてログインを解除するログアウト操作がなされた場合に、処理部にセットされた機能情報の中で更新された情報を端末から受信し、共有アカウントテーブルの登録内容を更新された情報に更新する更新手段をさらに備えたことを特徴とする。
【００１１】
この構成によれば、端末で機能情報が更新された場合に、サーバ装置の保守管理者が手操作で共有アカウントテーブルを更新することなく、自動的に常に最新の情報に更新することができる。
【００１２】
また、端末は、処理部から使用した機能情報を削除する機能削除手段をさらに備えている。この構成によれば、ログアウトした際に、処理部にセットされている機能情報を削除することで、セキュリティ面を強化される。
【００１３】
記憶手段は、共有アカウントでログイン中の端末に対し発信を許可するための発側識別子を記憶し、送信制御手段は、端末にて共有アカウントを使用するログイン操作がなされた場合に、端末に対し共有アカウントに属する機能情報と共に、発側識別子を示す情報を送信することを特徴とする。
【００１４】
この構成によれば、共有アカウントと使用できる発側識別子とを対応付けることにより、端末ごとに共有アカウントを利用して発信を行うことができる。このため、着信先では、発側識別子を元に発信者を特定できる。
【００１５】
記憶手段は、共有アカウントへのログインを許容し端末を特定するための端末識別情報を記憶し、送信制御手段は、端末にて共有アカウントを使用するログイン操作がなされた場合に、端末から通知される端末識別情報と記憶手段に記憶される端末識別情報とを比較して共有アカウントの使用の可否を判定し、共有アカウントの使用が可能と判定された場合に、共有アカウントに属する機能情報を端末に送信することを特徴とする。
【００１６】
この構成によれば、予め共有アカウントへのログインを許容した端末識別情報を利用して、端末への共有アカウントの各種機能情報の送信に先立ち、ログインした端末が正当なユーザであるか否かをチェックされ、これによりユーザの正当性を事前に確実に判断することが可能となる。
【００１７】
記憶手段は、端末毎または共有アカウント毎に、共有アカウントを使用するログイン操作がなされた端末に対し、ログイン後の使用を制限するための使用制限情報を記憶し、共有アカウントへのログイン後の端末に対し、記憶手段に記憶された使用制限情報に基づいて共有アカウントに属する機能を実行させる機能実行制御手段をさらに備えたことを特徴とする。
【００１８】
この構成によれば、予め使用制限情報を端末毎または共有アカウント毎に対応付けておくことにより、各端末または各共有アカウントごとに使用する各種機能を限定することができ、また使用回数を限定することにより自動的にログアウトさせることができる。これにより、共有アカウントの不要な使用を防止して共有アカウントの有効利用率を高めることができる。
【００１９】
記憶手段は、端末が有する表示器に表示しかつ共有アカウントと当該共有アカウントとは異なるアカウントとを含む複数のログイン画面情報を優先順位に対応付けて記憶し、共有アカウントでログイン中の端末にて当該共有アカウントとは別のアカウントに対しログイン操作がなされた場合に、記憶手段の中から該当する複数のログイン画面情報を優先順位に従って端末の表示器に表示させる表示制御手段と、複数のログインの実行中に、端末の表示器に表示されていないアカウントへの着信をユーザに通知する通知手段とをさらに備えたことを特徴とする。
【００２０】
この構成によれば、例えば端末のログイン画面が１つのみの場合には、複数のログイン画面を起動する際に優先順位の高いログイン画面情報を表示するようにし、端末の表示器に表示されていないアカウントへの着信があった際に、そのアカウントへのログイン画面に切り替えるようにすれば、ユーザは見やすいログイン画面で内容を確認できるようになる。
【発明の効果】
【００２１】
以上詳述したようにこの発明によれば、複数のユーザ間または複数の端末間で同一機能を使用する場合に、各ユーザまたは各端末に対する機能設定を人手を要することなく迅速かつ適切に行えるようにし、これによりユーザの利便性を高めたサーバ装置、通信システム及び機能設定方法を提供することができる。
【発明を実施するための最良の形態】
【００２２】
以下、この発明の実施形態について図面を参照して詳細に説明する。  
図１は、この発明の一実施形態に係わるＩＰ電話システムを示す概略構成図である。
【００２３】
このシステムは、パケットを伝送するためのＩＰ網ＮＷを有する。ＩＰ網ＮＷには、ＩＰ内線端末ＩＰＴ１〜ＩＰＴｎ（ｎは自然数）が接続されている。これら複数のＩＰ内線端末ＩＰＴ１〜ＩＰＴｎには、汎用のパーソナル・コンピュータや専用のＩＰ電話機等が使用される。
【００２４】
また、ＩＰ網ＮＷには、交換サーバＳ１，Ｓ２が接続されている。交換サーバＳ１は内線端末Ｔ１を収容し、交換サーバＳ２は内線端末Ｔ２を収容している。また、内線端末Ｔ１，Ｔ２には、汎用のパーソナル・コンピュータや専用の電話機等が使用される。さらに、ＩＰ網ＮＷに接続される複数のＩＰ内線端末ＩＰＴ１〜ＩＰＴｎのうち、ＩＰ内線端末ＩＰＴ１，ＩＰＴ２，ＩＰＴ３は交換サーバＳ１に属し、ＩＰ内線端末ＩＰＴ４〜ＩＰＴｎは交換サーバＳ２に属する。交換サーバＳ１は、ログイン操作がなされたＩＰ内線端末ＩＰＴ１，ＩＰＴ２，ＩＰＴ３と内線端末Ｔ１との間もしくはログイン操作がなされたＩＰ内線端末ＩＰＴ１，ＩＰＴ２，ＩＰＴ３及び内線端末Ｔ１と図示しない通信回線との間の交換制御機能を有している。交換サーバＳ２は、ログイン操作がなされたＩＰ内線端末ＩＰＴ４〜ＩＰＴｎと内線端末Ｔ２との間もしくはログイン操作がなされたＩＰ内線端末ＩＰＴ４〜ＩＰＴｎ及び内線端末Ｔ２と図示しない通信回線との間の交換制御機能を有している。
【００２５】
交換サーバＳ１は、端末インタフェース部（端末Ｉ／Ｆ）１１と、ＬＡＮインタフェース部（ＬＡＮ  Ｉ／Ｆ）１２と、共有アカウントデータベース１３と、ユーザアカウントデータベース１４と、制御部１５と、デフォルトログイン画面データベース１６とを備えている。交換サーバＳ２も、上記交換サーバＳ２と同様に、端末インタフェース部（端末Ｉ／Ｆ）２１と、ＬＡＮインタフェース部（ＬＡＮ  Ｉ／Ｆ）２２と、共有アカウントデータベース２３と、ユーザアカウントデータベース２４と、制御部２５と、デフォルトログイン画面データベース２６とを備えている。
【００２６】
ここでは、交換サーバＳ１を代表して説明する。  
端末インタフェース部１１は、内線端末Ｔ１との間でインタフェース処理を行うものである。ＬＡＮインタフェース部１２は、ＩＰ網ＮＷとの間でインタフェース処理を行うものである。
【００２７】
共有アカウントデータベース１３には、図２に示すように、通信に係わる各種機能をＩＰ内線端末ＩＰＴ１，ＩＰＴ２，ＩＰＴ３及び内線端末Ｔ１で共有して使用可能な共有アカウント名と、パスワードと、キー設定を表す情報と、保留音と、発信を行わせるための個別識別子とその使用状況と、共有アカウントにログイン可能な許容端末識別情報と、使用制限を表す情報との対応関係を表す共有アカウントテーブルが記憶される。また、共有アカウントデータベース１３には、図３に示すように、共有アカウントを使用して発信を行わせるための個別識別子とその使用状況との対応関係を表すデータが記憶される。
【００２８】
ユーザアカウントデータベース１４には、ＩＰ内線端末ＩＰＴ１，ＩＰＴ２，ＩＰＴ３及び内線端末Ｔ１の各ユーザごとに、個別に設定された通信に係わる各種機能を表す情報が記憶されている。
【００２９】
デフォルトログイン画面データベース１６には、図４に示すように、ＩＰ内線端末ＩＰＴ１，ＩＰＴ２，ＩＰＴ３及び内線端末Ｔ１の各ユーザ名と、デフォルトログイン画面の優先順位との対応関係を表すデータが記憶されている。
【００３０】
制御部１５は、ＩＰ内線端末ＩＰＴ１，ＩＰＴ２，ＩＰＴ３及び内線端末Ｔ１の通信に係わる制御機能に加え、この発明に係わる新たな機能として、ダウンロード制御部１５１と、アップロード制御部１５２と、機能制限制御部１５３と、画面表示制御部１５４と、着信通知部１５５とを備えている。
【００３１】
ダウンロード制御部１５１は、例えばＩＰ内線端末ＩＰＴ１にて共有アカウントＣ１を使用するログイン操作がなされた場合に、ログイン要求に含まれるパスワード及び端末識別情報を元に共有アカウントデータベース１３中の共有アカウントテーブルを参照し、この参照結果に基づいて、ログインしたＩＰ内線端末ＩＰＴ１が正当なユーザであるか否かをチェックし、共有アカウントＣ１の使用が可能と判定した場合に、「キー１：ＩＰ−Ｑ回線キー」「キー２：共有アカウントＣ３キー」を表す各種設定機能情報及び「サウンド１」を表す保留音情報をＩＰ内線端末ＩＰＴ１へダウンロードする。このとき、ＩＰ内線端末ＩＰＴ１に対し個別識別子「５０００」を割り当てる。
【００３２】
アップロード制御部１５２は、例えばＩＰ内線端末ＩＰＴ１にて共有アカウントＣ１からのログアウト操作がなされた場合に、セットされた機能情報の中で更新された情報をＩＰ内線端末ＩＰＴ１からアップロードし、共有アカウントデータベース１３中の共有アカウントテーブルの登録内容を更新された情報に更新する。
【００３３】
機能制限制御部１５３は、例えば共有アカウントＣ１へのログイン後のＩＰ内線端末ＩＰＴ１に対し、共有アカウントデータベース１３中の共有アカウントテーブルの使用制限情報に基づいて、共有アカウントＣ１に属する機能を実行させる。つまり、ＩＰ内線端末ＩＰＴ１にて「ＩＰ−Ｑ回線キー」を使用した通話がなされている場合に、この通話が終了した際に、ＩＰ内線端末ＩＰＴ１を自動的にログアウトする。
【００３４】
画面表示制御部１５４は、共有アカウントＣ１でログイン中のＩＰ内線端末ＩＰＴ１にてユーザアカウントＡに対しログイン操作がなされた場合に、デフォルトログイン画面データベース１６中から該当するログイン画面情報を優先順位に従って表示させる。
【００３５】
着信通知部１５５は、ＩＰ内線端末ＩＰＴ１にて共有アカウントＣ１及びユーザアカウントＡのログインの実行中に、表示画面に表示されていない共有アカウントＣ１への着信をユーザに通知する。
【００３６】
図５は、ＩＰ内線端末ＩＰＴ１〜ＩＰＴｎの機能構成を示すブロック図である。ここでは、ＩＰ内線端末ＩＰＴ１を代表して説明する。
【００３７】
ＩＰ内線端末ＩＰＴ１は、回線インタフェース（Ｉ／Ｆ）部３１と、制御部３２と、表示部３３と、処理部３４と、入力部３５とを備えている。このうち、回線インタフェース部３１は、ＩＰ網ＮＷとの間でインタフェース処理を行うものである。
【００３８】
制御部３２は、ＩＰ内線端末ＩＰＴ１としての動作を実現するための制御機能に加え、通信制御部３２１と、機能設定制御部３２２と、機能削除部３２３とを備えている。
【００３９】
通信制御部３２１は、ＩＰ網ＮＷを介して交換サーバＳ１との間で通信を行なうもので、入力部３５により共有アカウントＣ１を使用するログイン操作がなされた場合に、そのログイン要求を送出すると共に、この要求に応じて交換サーバＳ１が送信する共有アカウントＣ１の各種機能情報を受信する。そして、入力部３５によりログアウト操作がなされた場合に、各種機能情報のうち更新された情報を交換サーバＳ１に送信する。
【００４０】
機能設定制御部３２２は、交換サーバＳ１から送られた各種機能情報を処理部３４にセットする。処理部３４は、セットされた機能情報に基づいて交換サーバＳ１に対する機能を実行する。
【００４１】
機能削除部３２３は、ログアウト時に、処理部３４にセットされた機能情報を削除する。
【００４２】
表示部３３は、処理部３４にセットされた機能情報の表示等を行う。入力部３５は、ユーザが発信操作など、ＩＰ内線端末ＩＰＴ１に対し種々の動作指示を入力するために使用するもので、共有アカウントＣ１，Ｃ２やユーザアカウントＡへのログイン指示の入力やログアウト指示の入力にも使用される。
【００４３】
次に、以上のように構成されたＩＰ電話システムの動作を説明する。ここでは、ＩＰ内線端末ＩＰＴ１を例えば専用の電話機として説明する。  
図６は、ＩＰ内線端末ＩＰＴ１にて共有アカウントＣ１の各種機能を使用する際の交換サーバＳ１の制御処理手順を示すフローチャートである。
【００４４】
共有アカウントＣ１を使用する場合にユーザは、ＩＰ内線端末ＩＰＴ１を使用してＩＰ網ＮＷ経由で交換サーバＳ１にアクセスし、交換サーバＳ１からダウンロードされる画面の案内に従い、図７に示すように、共有アカウントＣ１の使用に関する必要事項を入力する。入力する必要事項は、使用したい共有アカウント名を表す情報と、パスワード「ａｂａｂ」である。そして、これらの必要事項の入力が終了すると、これらの情報を含むログイン要求を交換サーバＳ１に向け送信する。
【００４５】
上記ログイン要求を受信すると交換サーバＳ１は、ステップＳＴ５ａからステップＳＴ５ｂに移行してログイン要求に含まれるパスワード及び要求元のＩＰ内線端末ＩＰＴ１の端末識別情報と、上記共有アカウントデータベース１３に登録されているパスワード及び許容端末識別情報とを比較し、これによりログインＯＫか否かを判定する。
【００４６】
ここで、ログインＮＧの場合には、交換サーバＳ１はＩＰ内線端末ＩＰＴ１へログイン失敗の旨のメッセージを送出し表示部３３に表示させる（ステップＳＴ５ｃ）。
【００４７】
ここで、ログインＯＫの場合、交換サーバＳ１はＩＰ内線端末ＩＰＴ１をログインさせ、ユーザアカウントにログイン中であるか否かを判定する（ステップＳＴ５ｄ）。
【００４８】
ここで、ＩＰ内線端末ＩＰＴ１がユーザアカウントＡにログイン中であれば（Ｙｅｓ）、交換サーバＳ１は共有アカウントＣ１の各種設定機能情報をＩＰ内線端末ＩＰＴ１にダウンロードする（ステップＳＴ５ｅ）。
【００４９】
一方、ＩＰ内線端末ＩＰＴ１がユーザアカウントにログインされていなければ（Ｙｅｓ）、交換サーバＳ１は個別識別子をＩＰ内線端末ＩＰＴ１に通知した後（ステップＳＴ５ｆ）、共有アカウントＣ１の各種設定機能情報をＩＰ内線端末ＩＰＴ１にダウンロードする。
【００５０】
ＩＰ内線端末ＩＰＴ１は、交換サーバＳ１からダウンロードされる共有アカウントＣ１の各種設定機能情報を処理部３４にセットする。すると、図８に示すように、表示部３３のメイン表示部３３ａとは異なるサブ表示部３３ｂに例えば「ＩＰ−Ｑ回線キー」「共有アカウントＣ３キー」がファンクションキー３５ｂ１，３５ｂ２に対応付けて表示される。
【００５１】
（発信操作）  
ここで、交換サーバＳ１にログインされたＩＰ内線端末ＩＰＴ１にてファンクションキー３５ｂ１が押下され、続いてダイヤル３５ａにより内線端末Ｔ２の電話番号が押下されて交換サーバＳ２の内線端末Ｔ２に対する発信操作が行われたとする（図９（１））。そうすると、交換サーバＳ１はＩＰ内線端末ＩＰＴ１からＩＰ網ＮＷを介して送られてくる「ファンクションキー１」からＩＰ網ＮＷ上の着信先を特定し、それに続く内線端末Ｔ２の電話番号から交換サーバＳ２の内線端末Ｔ２を特定し、着信信号をＩＰ網ＮＷを介して交換サーバＳ２へ送信する（図９（２））。
【００５２】
そうすると、交換サーバＳ２はＩＰ網ＮＷを介して送られてくる着信電話番号から内線端末Ｔ２を呼び出す（図９（３））。
【００５３】
一方、内線端末Ｔ２が話中もしくはユーザが離席していた場合に（図９（４））、内線端末Ｔ２の表示部にＩＰ内線端末ＩＰＴ１の発信電話番号「５０００」が表示されることになる。
【００５４】
以後、内線端末Ｔ２のユーザが発信電話番号「５０００」をもとに発信操作を行なうと、交換サーバＳ１にて発信電話番号「５０００」からＩＰ内線端末ＩＰＴ１を特定し、ＩＰ内線端末ＩＰＴ１を呼び出す（図９（５））。
【００５５】
このとき、ＩＰ内線端末ＩＰＴ１の表示部３３にユーザアカウントＡが表示されていれば、内線端末Ｔ２からの着信の旨のメッセージを表示部３３のメイン表示部３３ａにＯＳＤ（on screen display）により表示させる。なお、ＯＳＤの代わりにＬＥＤ(Light Emitting Diode）等の点灯或いは点滅を使用してもよい。
【００５６】
以後、ＩＰ内線端末ＩＰＴ１が着信に応答すると、交換サーバＳ１はＩＰ内線端末ＩＰＴ１と内線端末Ｔ２との間に通信リンクを形成する（図９（６））。
【００５７】
そして、通話終了後に、交換サーバＳ１はＩＰ内線端末ＩＰＴ１を自動的にログアウトさせる。すると、ＩＰ内線端末ＩＰＴ１は、図１０に示す制御処理を実行する。
【００５８】
まず、共有アカウントＣ１からログアウトすると、ＩＰ内線端末ＩＰＴ１は、ステップＳＴ９ａからステップＳＴ９ｂに移行してここで処理部３４にセットされた機能情報の中から更新された情報があれば、更新された情報を交換サーバＳ１にアップロードし、それ以外の機能情報を削除する。
【００５９】
以上のように上記実施形態では、交換サーバＳ１において、各種機能情報の少なくとも一部を複数のＩＰ内線端末ＩＰＴ１，ＩＰＴ２，ＩＰＴ３及び内線端末Ｔ１で共有して使用可能な共有アカウントＣ１，Ｃ２とし、この共有アカウントＣ１、Ｃ２と共有アカウントに属する設定機能情報とを対応付けた共有アカウントテーブルを記憶した共有アカウントデータベース１３を設け、例えばＩＰ内線端末ＩＰＴ１にて共有アカウントＣ１を使用するログイン操作がなされた場合に、制御部１５にて共有アカウントデータベース１３中の共有アカウントテーブルを参照して、ＩＰ内線端末ＩＰＴ１に対し共有アカウントＣ１に属する各種機能情報をダウンロードするようにしている。
【００６０】
従って、共有アカウントＣ１へログインするだけで、ＩＰ内線端末ＩＰＴ１，ＩＰＴ２，ＩＰＴ３及び内線端末Ｔ１の各ユーザが共有アカウントＣ１に属する同一機能を容易に使用できるようになる。また、当該機能はＩＰ内線端末ＩＰＴ１，ＩＰＴ２，ＩＰＴ３及び内線端末Ｔ１の各ユーザによって使用されるため１アカウントに対しての負荷が高まるが、当該アカウントの各種機能情報をＩＰ内線端末ＩＰＴ１，ＩＰＴ２，ＩＰＴ３及び内線端末Ｔ１側にダウンロードすることによって、負荷を軽減できる。
【００６１】
また、上記実施形態では、ＩＰ内線端末ＩＰＴ１で機能情報が更新された場合に、交換サーバＳ１の保守管理者が手操作で共有アカウントテーブルを更新することなく、自動的に常に最新の情報に更新することができる。
【００６２】
また、上記実施形態では、ＩＰ内線端末ＩＰＴ１においてログアウトした際に、処理部３４にセットされ使用しただけの機能情報を削除することで、セキュリティ面を強化することができる。
【００６３】
また、上記実施形態では、交換サーバＳ１において、共有アカウントＣ１を使用する際に発信を行うための個別識別子「５０００」「５００１」を共有アカウントデータベース１３に記憶しておくことにより、ＩＰ内線端末ＩＰＴ１，ＩＰＴ２，ＩＰＴ３ごとに共有アカウントＣ１を利用して発信を行うことができる。このため、着信先では、個別識別子を元に発信者を特定できる。
【００６４】
また、上記実施形態では、交換サーバＳ１において、予め共有アカウントへのログインを許容した許容端末識別情報を利用して、ＩＰ内線端末ＩＰＴ１，ＩＰＴ２，ＩＰＴ３及び内線端末Ｔ１への共有アカウントＣ１の各種機能情報のダウンロードに先立ち、ログインしたＩＰ内線端末ＩＰＴ１，ＩＰＴ２，ＩＰＴ３及び内線端末Ｔ１が正当なユーザであるか否かをチェックするようにしている。このため、ユーザの正当性を事前に確実に判断することが可能となる。
【００６５】
また、上記実施形態では、交換サーバＳ１において、予め使用制限情報を端末毎または共有アカウントＣ１，Ｃ２毎に共有アカウントデータベース１３上で対応付けておき、例えば使用制限情報により１通話でログアウトするように制限していれば自動的にログアウトさせるようにしている。このため、共有アカウントＣ１，Ｃ２の不要な使用を防止して共有アカウントＣ１、Ｃ２の有効利用率を高めることができる。
【００６６】
さらに、上記実施形態では、例えばＩＰ内線端末ＩＰＴ１のログイン画面が１つのみの場合には、複数のログイン画面を起動する際に優先順位の高いログイン画面情報を表示部３３に表示するようにし、表示部３３に表示されていないアカウントへの着信があった際に、そのアカウントへのログイン画面に切り替えるようにしているので、ユーザは見やすいログイン画面で内容を確認できるようになる。
【００６７】
なお、この発明は、上記実施形態に限定されるものではない。例えば上記実施形態では、交換サーバＳ１から共有アカウントＣ１に属する各種機能情報をダウンロードしたＩＰ内線端末ＩＰＴ１からの要求操作に応じてＩＰ−Ｑ回線を使用する発信制御等の内線サービスに係わる制御を実行する場合を例にとって説明したが、例えばＩＰ−Ｑ回線キーや共有アカウントＣ３キー、ＩＳＤＮ回線キー以外の回線キーや機能キーに係わる種々制御を実行するようにしてもよい。
【００６８】
また、上記実施形態では、共有アカウントデータベース１３とデフォルトログイン画面データベース１６とを別々に設ける例について説明したが、１つの記憶部に設けるようにしてもよい。
【００６９】
その他、ＩＰ電話システムの構成、交換サーバの機能構成、ＩＰ内線端末及び内線端末の機能構成及び種類、共有アカウントを使用するログイン時の交換サーバ及びＩＰ内線端末の制御手順とその内容等についても、この発明の要旨を逸脱しない範囲で種々変形して実施できる。
【図面の簡単な説明】
【００７０】
【図１】この発明に係わる機能設定方法が実施されるＩＰ電話システムの一実施形態を示す概略構成図。
【図２】図１に示した共有アカウントデータベースの記憶内容の一例を示す図。
【図３】図１に示した共有アカウントデータベースの記憶内容の他の一例を示す図。
【図４】図１に示したデフォルトログイン画面データベースの記憶内容の一例を示す図。
【図５】図１に示したＩＰ内線端末の機能構成を示すブロック図。
【図６】同実施形態において、ＩＰ内線端末にて共有アカウントの各種機能を使用する際の交換サーバの制御処理手順を示すフローチャート。
【図７】同実施形態におけるログイン時の入力画面を示す図。
【図８】同実施形態における共有アカウントの各種機能情報をダウンロードした際の表示画面を示す図。
【図９】同実施形態において、共有アカウントを使用して発信を行った際のＩＰ内線端末と交換サーバとの間の発信動作手順を説明するために示す図。
【図１０】同実施形態において、共有アカウントからログアウトする際のＩＰ内線端末の制御処理手順を示すフローチャート。
【符号の説明】
【００７１】
１１，２１…端末インタフェース部、１２，２２…ＬＡＮインタフェース部、１３，２３…共有アカウントデータベース、１４，２４…ユーザアカウントデータベース、１５，２５…制御部、１６，２６…デフォルトログイン画面データベース、３１…回線インタフェース部、３２…制御部、３３…表示部、３４…処理部、入力部３５と、１５１，２５１…ダウンロード制御部、１５２，２５２…アップロード制御部、１５３，２５３…機能制限制御部、１５４，２５４…画面表示制御部、１５５，２５５…着信通知部、３２１…通信制御部、３２２…機能設定制御部、３２３…機能削除部、ＮＷ…ＩＰ網、ＩＰＴ１〜ＩＰＴｎ…ＩＰ電話端末、Ｔ１，Ｔ２…内線端末、Ｓ１，Ｓ２…交換サーバ。
【図１】
2009239869.tif 000003
【図２】
2009239869.tif 000004
【図３】
2009239869.tif 000005
【図４】
2009239869.tif 000006
【図５】
2009239869.tif 000007
【図６】
2009239869.tif 000008
【図７】
2009239869.tif 000009
【図８】
2009239869.tif 000010
【図９】
2009239869.tif 000011
【図１０】
2009239869.tif 000012